(57)【要約】【課題】本発明は、着肉性の良く、マイレージの高く、臭気の少ない活版輪転印刷用インキを提供することである。また該活版輪転印刷用インキを用いた印刷濃度の高い印刷物を提供することである。【解決手段】植物油を使用してなることを特徴とする活版輪転印刷用インキ。植物油が再生植物油を使用してなることを特徴とする活版輪転印刷用インキ。廃食油に活性白土を添加して９５〜１５０℃で加熱、常温まで冷却後フィルタープレスにて濾過をした再生植物油を使用することを特徴とする活版輪転印刷用インキ。【選択図】無し【特許請求の範囲】
【請求項１】
植物油を使用してなることを特徴とする活版輪転印刷用インキ。
【請求項２】
請求項１記載の植物油が、再生植物油を使用してなることを特徴とする活版輪転印刷用インキ。
【請求項３】
廃食油に活性白土を添加して９５〜１５０℃で加熱、常温まで冷却後フィルタープレスにて濾過をした再生植物油を使用することを特徴とする請求項２記載の活版輪転印刷用インキ。
【請求項４】
請求項１、請求項２、請求項３記載の活版輪転印刷用インキを用いた印刷物。
【発明の詳細な説明】
【技術分野】
【０００１】
本発明は活版輪転印刷で用いるインキおよび該インキからなる印刷物に関する。また活版輪転印刷で使用するインキが植物油を使用してなることを特徴とする活版輪転印刷用インキに関する。また天ぷらなど飲食物の製造等に用いた後に回収した植物油（廃食油）を処理した再生植物油を使用してなることを特徴とする活版輪転印刷用インキに関する。
【背景技術】
【０００２】
活版輪転印刷は凸版印刷のなかでも輪転機を用い、おもに書籍雑誌用に利用される印刷方法である。活版輪転印刷に用いられる活版輪転印刷用インキの組成は一般的に、色素顔料および無色の体質顔料等と、石油樹脂等を鉱物油で溶解させたワニスおよびインキオイルからなる。
【０００３】
近年、活版輪転印刷において印刷物の品質向上のニーズが高まり、さらに着肉性とインキの被覆率の高く、印刷濃度の高い印刷物を作製できるインキが求められている。着肉性や被覆率、印刷濃度に大きな影響を与える要素はインキオイルにある。また鉱油や潤滑油は印刷物の裏抜けの原因となった。さらに昨今の作業環境改善の潮流からインキの不快な臭気をできるだけ減らしたいという印刷物製造者からのニーズがあった。このように鉱油や潤滑油を用いたインキは現在のニーズに十分に応えられていなかった。
【０００４】
また、着肉性の高いインキを活版輪転印刷に使用することは、結果的に使用するインキの量を減少させることができ、マイレージの向上にもつながる。
【０００５】
印刷インキに用いられる鉱油や潤滑油の代わりに熱増粘した植物油を用いることは、特許文献１に開示されている。ここでは熱増粘処理（２７５℃〜３４０℃）を行い、重合を促進させ粘度を上げた植物油を印刷インキに利用している。この事例において想定しているインキは主に平版インキであり、また凸版インキに利用するという記述もあるが活版輪転印刷用インキ用の油としては増粘処理をする必要はない。
【０００６】
一方、印刷インキに飲食物の製造に使用した植物油（廃食油）を利用する試みは、特許文献２、特許文献３、特許文献４、特許文献５に開示されている。ここでは含水率０．３重量％以下・ヨウ素価１００以上・酸価が３以下の廃食油のみが印刷インキに利用可能である、と述べられている。しかし上記４つの文献で想定されている印刷インキはオフセット印刷用インキであり、活版輪転印刷用インキとは本質的に異なるインキである。
【０００７】
活版輪転印刷は凸版印刷の一種でありセットは浸透乾燥であるが、オフセット印刷は水と油のバランスを利用した印刷方法でセットは重合乾燥である。そのため、オフセット印刷用インキはすべての廃食油を利用できるわけではない。オフセット印刷用インキに利用する廃食油は酸価が高いと乳化が起こり、非画線部に浮き汚れや地汚れが発生する。また重合乾燥には少なくともヨウ素価１００以上の廃食油である必要がある。しかし活版輪転印刷用インキは凸版印刷であり浸透乾燥であるためこのような制約はない。
【０００８】
【特許文献１】特許第２５９０３９１号公報
【特許文献２】特許第３０４０１０３号公報
【特許文献３】特許第３６１６０１８号公報
【特許文献４】特許第３６１６０１９号公報
【特許文献５】特許第３６４３７２０号公報
【発明の開示】
【発明が解決しようとする課題】
【０００９】
本発明は、着肉性の良く、マイレージの高く、臭気の少ない活版輪転印刷用インキを提供することである。また該活版輪転印刷用インキを用いた印刷濃度の高い印刷物を提供することである。
【課題を解決するための手段】
【００１０】
本発明はこの課題を解決するためになされたものであり、請求項１記載の発明は植物油を使用してなることを特徴とする活版輪転印刷用インキである。
【００１１】
石油から作られる潤滑油および鉱油の代わりに植物油を使用すると、着肉性の良く、マイレージの高く、臭気の少ない活版輪転印刷用インキを製造することが可能である。活版輪転印刷用インキで用いることのできる植物油は乾性油でも半乾性油でも不乾性油でもよい。
【００１２】
活版輪転印刷用インキに利用できる植物油の例としては、桐油・あまに油・脱水ひまし油・ひまわり油・ベニバナ油・大豆油・とうもろこし油・綿実油・米ぬか油・なたね油・ごま油・つばき油・オリーブ油・落花生油・ひまし油・ヤシ油・パーム油・パーム核油などがある。活版輪転印刷用インキで用いることのできる植物油は上記に挙げた植物油はもちろん、それ以外の植物油でもよい。
【００１３】
また、活版輪転印刷用インキに利用できる油は植物油のみに限らず、状況に応じて従来使用の鉱油および潤滑油を植物油と併用して使用しても良い。
【００１４】
請求項２記載の発明は、請求項１記載の植物油が、再生植物油を使用してなることを特徴とする活版輪転印刷用インキである。
【００１５】
活版輪転印刷用インキには、飲食物の製造に使用した植物油（廃食油）を処理した再生植物油も利用可能である。また、再生植物油のみに限らず、状況に応じて従来使用の鉱油および潤滑油また請求項１記載の植物油を再生植物油と併用して使用しても良い。
【００１６】
請求項３記載の発明は、廃食油に活性白土を添加して９５〜１５０℃で加熱、常温まで冷却後フィルタープレスにて濾過をした再生植物油を使用することを特徴とする請求項２記載の活版輪転印刷用インキである。
【００１７】
廃食油とは飲食物の製造に使用した植物油であり、それは飲食店や学校給食、惣菜屋などで天ぷらやフライなどの製造に使用し回収したものである。飲食物の製造に用いられる植物油は大豆油・なたね油・ベニバナ油・とうもろこし油・綿実油・ごま油・オリーブ油・ヤシ油・パーム油・ひまわり油・米ぬか油などが挙げられるが、使用後に回収された植物油（廃食油）は一般的にこれらの混合物である。
【００１８】
活版輪転印刷用インキに用いる廃食油はどのようなものも利用可能である。しかし揚げ物等に含まれている成分等が溶出したりすることで塩分や糖分・動物の油脂分・水分などの不純物が混入しているため、不純物除去等の処理は必要である。
【００１９】
廃食油の処理方法は以下の通りである。回収した廃食油に活性白土を添加し、９５〜１５０℃で加熱する。それを常温まで冷却後、フィルタープレスにて濾過をする。
【００２０】
活性白土の添加は臭い除去のためである。９５〜１５０℃で加熱する処理は水分除去のためであるが、最良の温度は１１０℃程度である。またフィルタープレスよる濾過は異物および動物油脂分等の除去のためである。
【００２１】
請求項４記載の発明は、請求項１、請求項２、請求項３記載の活版輪転印刷用インキを用いた印刷物である。
【００２２】
植物油および飲食物の製造に使用した植物油を用いることを特徴とする活版輪転印刷用インキから、活版輪転印刷機を用いて、印刷濃度が高く、臭気の少ない印刷物を製造することができる。
【発明の効果】
【００２３】
また本発明による植物油及び再生植物油を使用したインキは、潤滑油や鉱油を用いた従来のインキに比べて着肉性が向上する。インキの着肉性の向上により印刷濃度が高く品質のよい印刷物を提供することができる。
【００２４】
また本発明による植物油及び再生植物油を使用したインキは、潤滑油や鉱油を用いた従来のインキに比べてマイレージが向上する。マイレージが向上すると印刷物に利用するインキの消費量が相対的に減少し、コストが低減され、また省資源化が可能で環境に負荷が少なくなる。
【００２５】
また本発明による植物油及び再生植物油を使用したインキは、潤滑油や鉱油を用いた従来のインキに比べて臭気が減少する。インキの臭気の減少は、印刷物製造者の作業環境を改善し、臭気のない品質の良い印刷物を提供することができる。
【００２６】
また本発明による植物油及び再生植物油を使用したインキは、石油由来の潤滑油及び鉱油を用いた従来のインキに比較して生分解性が高い。すなわち植物油及び再生植物油は生物との相性がよく、そのインキを用いた印刷物は廃棄後速やかに生分解される。
【００２７】
また本発明による植物油及び再生植物油を使用したインキは、潤滑油や鉱油を用いた従来のインキに比べて脱墨性が高い。すなわち植物油及び再生植物油を使用したインキを用いた印刷物は古紙再生する際に容易にインキと紙に分離することが可能である。ゆえに循環型社会の一翼を担うことができる。
【００２８】
本発明によれば、活版輪転印刷用インキで現在使用している潤滑油や鉱油といった石油などの化石由来の原料から、植物油といった環境に優しい原料に転換することができる。さらに天ぷらやフライなどの飲食物の製造に使用された廃食油を使用することにより循環型社会の構築が可能である。
【発明を実施するための最良の形態】
【００２９】
植物油よりなる活版輪転印刷用インキの組成は、顔料１０〜３０重量％および、ワニス１０〜３０重量％および、植物油４０〜８０重量％である。
【００３０】
本発明に用いる廃食油は以下のように処理して再生植物油を作製し、その再生植物油を活版輪転印刷用インキの作製に利用する。回収した廃食油に活性白土を添加し、１１０℃で加熱する。それを常温まで冷却後、フィルタープレスにて濾過をする。
【００３１】
再生植物油よりなる活版輪転印刷用インキの組成は、顔料１０〜３０重量％および、ワニス１０〜３０重量％および、再生植物油４０〜８０重量％である。
【実施例】
【００３２】
実施例１は表１に示した組成により、植物油を含有するインキを作製した。該インキの組成は、顔料であるカーボンブラック１０重量％および炭酸カルシウム（体質顔料）１０重量％、ワニスであるギルソナイト・石油樹脂混合ワニス７重量％およびピッチ類６重量％、植物油として大豆白絞油６７重量％である。
【００３３】
実施例２に使用する廃食油は以下のように処理して再生植物油を作製した。すなわち、総菜屋より回収した廃食油に活性白土を添加し、１１０℃で加熱した。そして１２時間後に常温まで冷却してからフィルタープレスにて濾過をした。
【００３４】
実施例２は表１に示した組成により、再生植物油を含有するインキを作製した。該インキの組成は、顔料であるカーボンブラック１０重量％および炭酸カルシウム（体質顔料）１０重量％、ワニスであるギルソナイト・石油樹脂混合ワニス７重量％およびピッチ類６重量％、再生植物油６７重量％である。
【００３５】
比較例１は表１に示した組成により、従来使用してきた鉱油を含有するインキを作製した。該インキの組成は、該インキの組成は、顔料であるカーボンブラック１０重量％および炭酸カルシウム（体質顔料）１０重量％、ワニスであるギルソナイト・石油樹脂混合ワニス７重量％およびピッチ類６重量％、鉱油６７重量％である。
【００３６】
実施例１、実施例２、比較例１のインキ組成は表１に示した。単位は重量％である。
【００３７】
【表１】
2007217618.tif 000002
【００３８】
実施例、比較例のインキを使用して、日立製作所製の活版輪転印刷機を用い印刷速度６００ｒｐｍにて印刷を行った。評価はその印刷物にて行い、評価項目は着肉性、乾燥性、臭気、印刷濃度、マイレージの５項目である。
【００３９】
着肉性の評価は、印刷を開始後１０００部以後から２０部サンプリングし、サンプリングした２０部の印刷物の紙面の状態により目視で１から３の３段階で評価をした。評価基準は以下の通りである。
３：印刷物ベタ部にインキがほとんど被覆し、下地の紙が見えない。
２：印刷物ベタ部のインキがほぼ被覆し、下地の紙が所々見える程度で使用に耐えうる。
１：印刷物ベタ部のインキが十分被覆されておらず、下地の紙が見える箇所が多く使用に耐えられない。
【００４０】
評価結果は表２に示した。着肉性の評価結果は実施例１および実施例２が評価３、比較例１が評価２であった。実施例１および実施例２のインキを用いた印刷物は、比較例１のインキを用いた印刷物に比較して良好な着肉性であることを確認した。
【００４１】
乾燥性の評価は、印刷を開始後１０００部以後から、印刷直後の印刷物の印刷面に印刷物の裏面を当てて裏移りするかどうかを目視で確認した。前述の試験を２０部について行い、１から３の３段階で評価をした。評価基準は以下の通りである。
３：当てた紙に裏移りしない。
２：当てた紙に裏移りが確認できる。
１：当てた紙にべったりと裏移りする。
【００４２】
評価結果は表２に示した。乾燥性の評価結果は実施例１および実施例２および比較例１の全てで評価３であった。実施例１および実施例２のインキを用いた印刷物は、比較例１のインキを用いた印刷物と同等な乾燥性であることを確認した。
【００４３】
臭気の評価は以下のように実施した。サンプリングした２０部の印刷物の一部を１０ｃｍ×５ｃｍの短冊状に切った。短冊状の紙片を５００ｍｌの密栓の付いたガラス製容器に入れ、官能により評価した。官能試験に供された人員は１０名で彼らの判定で評価した。評価は１から３の３段階であり、評価基準は以下の通りである。
３：１０名中、８人以上が不快と感じなかった。
２：１０名中、５人から８人が不快と感じなかった。
１：１０名中、５人以下が不快と感じなかった。
【００４４】
評価結果は表２に示した。臭気の評価結果は実施例１および実施例２が評価３、比較例１が評価２であった。実施例１および実施例２のインキを用いた印刷物は、比較例１のインキを用いた印刷物に比較して臭気の減少を確認できた。
【００４５】
印刷濃度の評価は以下のように実施した。印刷を開始後１０００部以後から２０部サンプリングし、サンプリングした２０部の印刷物紙面のベタ部をデンシトメーター（ＧＲＥＴＡＧ  Ｄ１９Ｃ，スイス  Ｇｒｅｔａｇ  Ｍａｃｂｅｔｈ社製）により測定した。印刷物２０部の測定値を平均して、各々のインキの印刷物の印刷濃度の値を求めた。印刷濃度の値から１から３の３段階で評価をした。評価基準は以下の通りである。
３：印刷濃度の値が０．８以上。
２：印刷濃度の値が０．５以上０．８未満。
１：印刷濃度の値が０．５以下。
【００４６】
評価結果は表２に示した。印刷濃度の評価結果は実施例１および実施例２が評価３、比較例１が評価２であった。実施例１および実施例２のインキを用いた印刷物は、比較例１のインキを用いた印刷物に比較して印刷濃度が上昇したことを確認した。
【００４７】
マイレージの評価は以下のように実施した。３つのインキ共に同じ版を用いて両面印刷を行った。そして使用したインキの量と作製された印刷物の部数から、インキ１ｋｇあたりの印刷部数を算定した。算定した印刷枚数から１から３の３段階で評価をした。評価基準は以下の通りである。
３：インキ１ｋｇあたりに印刷できる印刷物の部数が３０００部以上。
２：インキ１ｋｇあたりに印刷できる印刷物の部数が２５００部以上３０００部未満。
１：インキ１ｋｇあたりに印刷できる印刷物の部数が２５００部未満。
【００４８】
評価結果は表２に示した。マイレージの評価結果は実施例１および実施例２が評価３、比較例１が評価２であった。実施例１および実施例２のインキを用いた印刷物は、比較例１のインキを用いた印刷物に比較してマイレージが向上したことを確認した。
【００４９】
【表２】
2007217618.tif 000003
【００５０】
以上の評価結果より、植物油及び再生植物油を含有した活版輪転印刷インキは、従来品である鉱油を含有した活版輪転印刷インキと比較して着肉性および印刷濃度が向上し、臭気が減少した。着肉性および印刷濃度の向上と臭気の減少は、印刷物の品質向上を意味する。
【００５１】
植物油及び再生植物油を含有した活版輪転印刷インキは、従来品である鉱油を含有した活版輪転印刷インキと比較してマイレージが向上した。マイレージの向上は、印刷物上のインキ厚の減少であり、印刷物に利用するインキの消費量が相対的に減少したことを意味する。
【００５２】
植物油及び再生植物油を含有した活版輪転印刷インキは、従来品である鉱油を含有した活版輪転印刷インキと比較して同等の乾燥性が得られた。植物油及び再生植物油を含有した活版輪転印刷インキは現在の活版輪転印刷機で同じ条件で利用できることが確認できた。
【産業上の利用可能性】
【００５３】
本発明を利用することで、従来の鉱油や潤滑油を含有した活版輪転印刷インキと比較して、より高い品質の印刷物を提供することができる。また活版輪転印刷用インキに植物油を用いることで、廃棄後速やかに生分解される印刷物を提供することができる。また脱墨性が高い植物油を含有したインキを用いた印刷物は再生紙として利用可能な紙資源を増加させることができる。また天ぷらやフライなどの飲食物の製造に使用された廃食油を使用することにより循環型社会が構築できる。